(57)【要約】【課題】  安定性、特に高温で安定性に優れ、増粘された液体洗浄剤組成物を提供する。  【解決手段】  （ａ）特定のアルキルポリグリコシド、（ｂ）アルキル基の炭素数が１０〜１６、平均オキシアルキレン付加モル数が４〜１０のポリオキシアルキレンアルキルエーテル（但しオキシアルキレン基はオキシエチレン基の単独、又はオキシエチレン基及びオキシプロピレン基の混合であり、オキシプロピレン基の平均付加モル数は最大３である）、及び（ｃ）水を、それぞれ特定比率で含有する特定粘度の液体洗浄剤組成物。【選択図】  なし【特許請求の範囲】
【請求項１】
（ａ）下記一般式（１）のアルキルポリグリコシド、（ｂ）アルキル基の炭素数が１０〜１６、平均オキシアルキレン付加モル数が４〜１０のポリオキシアルキレンアルキルエーテル（但しオキシアルキレン基はオキシエチレン基の単独、又はオキシエチレン基及びオキシプロピレン基の混合であり、オキシプロピレン基の平均付加モル数は最大３である）、及び（ｃ）水を含有する２０℃における粘度が２０〜３００ｍＰａ・ｓである増粘された液体洗浄剤組成物であって、（ａ）／（ｂ）の質量比が１／１０〜２／１、（ａ）＋（ｂ）の合計濃度が６〜３５質量％である液体洗浄剤組成物。
Ｒ1−(Ｇ)x        （１）
〔式中、Ｒ1は直鎖又は分岐鎖の炭素数１０〜２０のアルキル基、Ｇは単糖残基、ｘは平均値１〜１０の数を示す。〕
【請求項２】
更に（ｄ）過酸化水素を０．１〜１０質量％含有する請求項１記載の液体洗浄剤組成物。
【発明の詳細な説明】
【技術分野】
【０００１】
本発明は液体洗浄剤組成物に関し、特には漂白剤を含有する液体洗浄剤組成物に関する。
【背景技術】
【０００２】
非イオン界面化成剤は油に対する乳化力が優れており、一般の液体洗浄剤、特に液体漂白洗浄剤に好んで用いられている界面活性剤である。一方、液体洗浄剤の使い勝手を向上させるなどの目的から粘度を向上させることが行われており、さらに液体漂白洗浄剤において、塗布時に洗浄剤が漂白対象表面上や内部に広がることを抑制することで局所的な漂白効果を得る目的からも、液体洗浄剤の増粘化が求められている。
【０００３】
液体漂白洗浄剤を増粘化する技術としては、例えば特許文献１、特許文献２、特許文献３、特許文献４等には有機増粘剤を用いた技術が開示されている。特許文献５、特許文献６には高分子量のポリオキシアルキレンアルキルエーテル型非イオン界面活性剤を用いた技術が開示されている。特許文献７、特許文献８、特許文献９には特定の非イオン界面活性剤を用いた技術が開示されている。
【０００４】
特許文献１０には極限られた範囲のＨＬＢを有する非イオン界面活性剤を極限られた量比で用いる技術が開示されており、優れた液感安定性と適度な粘度を提供できるものである。
【０００５】
またアルキルグリコシドを配合する液体洗浄剤に関しては、特許文献１１には、液体漂白洗浄剤にアルキルグルコシドを配合する汚れ除去用組成物が開示されている。また特許文献１２〜１５には、漂白活性化剤及び特定２種の界面活性剤を含有した液体漂白洗浄剤において、特定２種の界面活性剤として、ポリオキシエチレンアルキルエーテル、アルキルポリグルコシドを用いることが記載されている。
【特許文献１】特開２００２−２０７９７号公報
【特許文献２】特開２００２−６０７９３号公報
【特許文献３】特開２００２−８０８９４号公報
【特許文献４】特開平１１−１７２２８８号公報
【特許文献５】特開２００２−８０８９５号公報
【特許文献６】特開平１０−１３０６９３号公報
【特許文献７】特開平９−１８８８９５号公報
【特許文献８】特開平１１−２９３２８３号公報
【特許文献９】特開２００１−１８１６９５号公報
【特許文献１０】特開２００１−２８８４９７号公報
【特許文献１１】特開平２−２３８０９８号公報
【特許文献１２】特開平９−１００４９２号公報
【特許文献１３】特開平９−１０４８９８号公報
【特許文献１４】特開平９−１０４９００号公報
【特許文献１５】特開平９−１１１２８９号公報
【発明の開示】
【発明が解決しようとする課題】
【０００６】
液体洗浄剤を増粘させるための技術は多数知られている。しかしながら、従来の技術では、許容範囲が非常に狭いため、配合設計上の制約が大きい。また、ＨＬＢの小さい非イオン界面活性剤は油に対する乳化力が高く、優れた洗浄効果を有する反面、曇点が低く、比較的低い温度で白濁するという問題があるため、高温による白濁などの液感の劣化を引き起こす。
【０００７】
本発明が解決しようとする課題は、安定性に優れた、増粘された液体洗浄剤組成物を提供することであり、特に過酸化水素を含有する液体漂白洗浄剤において、洗浄力に優れる比較的ＨＬＢの小さい非イオン界面活性剤を用いる際の高温安定性及び高粘度化の双方を両立させることである。
【課題を解決するための手段】
【０００８】
本発明は、（ａ）下記一般式（１）のアルキルポリグリコシド〔以下、（ａ）成分という〕、（ｂ）アルキル基の炭素数が１０〜１６、平均オキシアルキレン付加モル数が４〜１０のポリオキシアルキレンアルキルエーテル（但しオキシアルキレン基はオキシエチレン基の単独、又はオキシエチレン基及びオキシプロピレン基の混合であり、オキシプロピレン基の平均付加モル数は最大３である）〔以下、（ｂ）成分という〕、及び（ｃ）水〔以下、（ｃ）成分という〕を含有する２０℃における粘度が２０〜３００ｍＰａ・ｓである増粘された液体洗浄剤組成物であって、（ａ）／（ｂ）の質量比が１／１０〜２／１、（ａ）＋（ｂ）の合計濃度が６〜３５質量％である液体洗浄剤組成物に関する。
Ｒ1−(Ｇ)x        （１）
〔式中、Ｒ1は直鎖又は分岐鎖の炭素数１０〜２０のアルキル基、Ｇは単糖残基、ｘは平均値１〜１０の数を示す。〕
【発明の効果】
【０００９】
本発明によれば、安定性、特に高温での安定性に優れた、増粘された液体洗浄剤組成物が得られる。特に、過酸化水素等の漂白剤を含有する場合、液性を酸性としても、安定性と増粘性は維持される。このため、本発明によれば、実際の使用場面に適した粘度を有し、かつ高温安定性に問題の無い液体漂白洗浄剤組成物を提供することができる。
【発明を実施するための最良の形態】
【００１０】
本発明に係わる組成物は、（ａ）成分として下記一般式（１）の化合物を含有する。
Ｒ1−(Ｇ)x        （１）
〔式中、Ｒ1は直鎖又は分岐鎖の炭素数１０〜２０、好ましくは１２〜１８、特に好ましくは１４〜１８のアルキル基、Ｇは単糖残基、ｘは平均値１〜１０、好ましくは１〜５、特に好ましくは１〜２の数を示す。〕
【００１１】
Ｇは単糖残基であり、炭素数が３〜６個のトリオース、テトロース、ペントース、ヘキソースを挙げることができる。具体的にはアピオース、アラビノース、ガラクトース、グルコース、リキソース、マンノース、グロース、アルドース、イドース、タロース、キシロースを挙げることができる。本発明ではこれらの中でも特に炭素数５又は６のペントースあるいはヘキソースが好ましく、中でもグルコースが最も好ましい。
【００１２】
一般式（１）の化合物は前記単糖又はこれら単糖が複数縮合したオリゴ糖、好ましくは２〜５個縮合したオリゴ糖、より好ましくは２〜３個縮合したオリゴ糖の還元末端とＲ1−ＯＨとを酸触媒を用いてアセタール化反応又はケタール化反応することで容易に合成することができる。また、アセタール化反応の場合、ヘミアセタール構造であっても良く、通常のアセタール構造であっても良い。
【００１３】
なお、（ａ）成分による増粘効果に関連して次のような知見が得られている。すなわち、
（イ）一般式（１）中のＲ1が炭素数１０〜１２のアルキル基のものは、単独では増粘しにくく、非常に多量の配合を必要とする一方で、（ｂ）成分が単独で増粘性を示す場合、特に（ｂ）成分の後述するＨＬＢが９．７〜１１．８（或いはポリオキシエチレンドデシルエーテル（オキシエチレン基の平均付加モル数が６〜４モル））と併用する場合において、（ａ）成分は過度に増粘することなく組成物の高温安定性を向上することができる。
（ロ）一方、一般式（１）中のＲ1が炭素数１６〜２０のアルキル基の場合、（ａ）成分のみで、組成物の増粘効果が増強される傾向を示す。しかしながら（ａ）成分のみでの増粘は、その配合濃度を高くする必要がある上、洗浄力において不十分である。
本発明では、特に（ａ）成分として、一般式（１）中のＲ1が炭素数１４〜１８のアルキル基で平均糖縮合度ｘが１．２〜１．７である化合物を（ｂ）成分を組み合わせることで、より顕著な効果が得られ、しかもこのような構造の（ａ）成分を単独で用いるよりも少ない濃度で、より高い洗浄力と増粘効果が得られ、更には高温安定性も満足できることが見出された。
【００１４】
本発明に係わる組成物は、（ｂ）成分としてアルキル基の炭素数が１０〜１６、平均オキシアルキレン付加モル数が４〜１０のポリオキシアルキレンアルキルエーテルを含有する。オキシアルキレン基はオキシエチレン基の単独、又はオキシエチレン基及びオキシプロピレン基の混合であり、オキシプロピレン基の平均付加モル数は最大３である。より具体的には下記一般式（２）の化合物及び下記一般式（３）の化合物から選ばれる１種以上が好適である。本発明では、一般式（２）の化合物が最も好ましい。（ｂ）成分は、油に対する乳化力に優れる一方、曇点が低い。そのため、特に配合量の少ない場合には、安定性を損なわないよう注意を要する。
【００１５】
Ｒ3−Ｏ−(Ｃ2Ｈ4Ｏ)a−Ｈ                  （２）
〔式中、Ｒ3は炭素数１０〜１６、好ましくは１２〜１４、より好ましくは１２のアルキル基を示す。ａは好ましくは４〜８、より好ましくは４〜７の数である。〕
Ｒ4−Ｏ−(Ｃ2Ｈ4Ｏ)b−(Ｃ3Ｈ6Ｏ)c−Ｈ    （３）
〔式中、Ｒ4は炭素数１０〜１６、好ましくは１２〜１４、より好ましくは１２のアルキル基を示す。ｂは好ましくは４〜８、より好ましくは４〜７の数、ｃは好ましくは１〜３、より好ましくは１〜２の数であり、ｂ+ｃは４〜１０の数である。また、エチレンオキシドとプロピレンオキシドはランダムあるいはブロック付加体であってもよい。〕
【００１６】
（ｂ）成分のＨＬＢは、下記に示すグリフィン（Ｇｒｉｆｆｉｎ）の方法（或いはアトラス法とも呼ばれる）のポリオキシエチレンアルキルエーテルの計算式により求めることができる。
ＨＬＢ＝〔分子中のポリオキシエチレンの重量分率（％）〕／５
【００１７】
なお、（ｂ）成分がオキシプロピレン基を含む場合、本来上記グリフィン法ではＨＬＢを求めることはできないが、本発明では、便宜的にオキシプロピレン基の重量分率は無視して、オキシエチレン基の重量分率から、上記式によりＨＬＢを求めるものとする。これは、（ｂ）成分がオキシプロピレン基を含む場合でも、オキシプロピレン基の平均付加モル数が最大でも３であることから、オキシプロピレン基の存在が組成物の粘度や安定性へ与える影響が小さいため、このようなオキシプロピレン基を含む（ｂ）成分のＨＬＢを、オキシエチレン基に基づくＨＬＢと見なしても問題がないからである。
【００１８】
本発明において、（ｂ）成分のＨＬＢは、９．７〜１３．１、更には１０．８〜１２．１が好ましい。ＨＬＢが１３．１以下であれば、十分な洗浄力が得られ、また（ａ）成分との併用による増粘効果も良好となる。なお、（ｂ）成分のＨＬＢが９．７〜１１の場合は（ｂ）成分は少量で増粘するため、これらＨＬＢで（ｂ）成分の配合量を増やしたい場合は増粘し過ぎることが懸念される。そこで、本発明の粘度領域にするため、（ａ）成分として一般式（１）中のＲ1が炭素数１０〜１２のアルキル基である化合物を用いて適度に粘度を下げる配合を検討することもできる。また、（ｂ）成分のＨＬＢが１１を超える場合、特にはＨＬＢが１２以上の場合は、（ａ）成分はＲ1が炭素数１４〜１６で平均糖縮合度ｘが１．２〜１．７のアルキルポリグルコシドを用いることが望ましい。
【００１９】
本発明の（ａ）成分は、その強い水和力によって系の安定性の向上に寄与するものと推測される。一方、本発明の（ｂ）成分は、増粘作用に優れるが、曇点が低いことにより、特に高温での安定性が低下する傾向にある。本発明では、（ａ）成分を用いることで、（ｂ）成分本来の増粘効果を維持しつつ、安定性の低下を補うことができ、優れた安定性が得られるものと推察される。従って、（ａ）成分単独あるいは（ｂ）成分単独では、増粘と安定性を両立させることは難しい。
【００２０】
本発明に係わる組成物は、適度な増粘と高温での溶液安定性の両立を達成する上で、（ａ）成分／（ｂ）成分を１／１０〜２／１、好ましくは１／８〜１／１、特に好ましくは１／５〜４／５の質量比で含有することが重要である。また、組成物中の（ａ）成分と（ｂ）成分の合計濃度は、十分な増粘効果と安定性を得る上で、６〜３５質量％、好ましくは６〜２５質量％、より好ましくは７〜２０質量％である。
【００２１】
本発明者らは、（ａ）成分と（ｂ）成分とを併用することで、混合ミセルが、球状ミセルよりも棒状ミセルを形成し易くなり〔その傾向は（ａ）成分のアルキル鎖が長いほど、又は（ｂ）成分のエチレンオキサイドの平均付加モル数が少ないほど強い〕、その結果、ミセル間の摩擦（抵抗）が大きくなることで、顕著に粘度が増加し、且つ、安定性にも優れるようになると推測している。
【００２２】
またこの増粘系は、酸性領域でも効果を得ることができ、特に過酸化水素を含む場合の安定性から、液性を酸性とした液体漂白洗浄剤であっても、過酸化水素の安定性を阻害せずに、十分な増粘効果を得ることができる。
【００２３】
本発明に係わる組成物は、上記（ａ）成分及び（ｂ）成分を（ｃ）成分である水に溶解させた水溶液の形態であり、用いる水は、微量に水に溶解している金属を除去したイオン交換水又は蒸留水が安定性の点から好適である。（ｃ）成分である水の含有量は、好ましくは組成物中７０〜９８質量％、より好ましくは８０〜９５質量％である。
【００２４】
本発明に係わる組成物の２０℃におけるｐＨは、好ましくは1．５〜７、より好ましくは１．５〜６、さらに好ましくは２〜５、特に好ましくは２．５〜４である。特に漂白剤を含有する場合の２０℃におけるｐＨは２．５〜６が好ましい。このようなｐＨに調整するためのｐＨ調整剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸から選ばれる酸と水酸化ナトリウムや水酸化カリウムから選ばれるアルカリ剤を用いることが好ましい。
【００２５】
また、本発明に係わる組成物は、（ａ）成分と（ｂ）成分により増粘された２０℃における粘度が２０〜３００ｍＰａ・ｓのものであるが、更に３０〜２００ｍＰａ・ｓの範囲であることが、使い勝手や洗浄力または漂白力の点から好適である。
【００２６】
本発明の粘度は以下の様に測定されたものである。東京計器（株）製Ｂ型粘度計に、ローター番号Ｎｏ．１又は２（１００ｍＰａ・ｓ以上の時のみ使用）を備え付けたものを準備する。試料をトールビーカーに入れ、２０℃の恒温槽内にて２０℃に調整する。調温された試料を粘度計にセットし、ローターの回転数を６０ｒｐｍに設定し、回転を始めてから６０秒後の粘度を本発明の粘度とする。
【００２７】
本発明に係わる組成物は、（ｄ）成分として過酸化水素を含有することで液体漂白洗浄剤として使用することができる。（ｄ）成分の含有量は組成物中に好ましくは０．１〜１０質量％、より好ましくは１〜６質量％、特に好ましくは１．５〜５質量％である。このような範囲において優れた漂白効果を得ることができる。
【００２８】
本発明に係わる組成物は、（ｄ）成分を含有する場合、さらに漂白性能の向上を目的として漂白活性化剤〔以下、（ｅ）成分という〕を含有することが好適である。漂白活性化剤には、例えば、テトラアセチルエチレンジアミン（ＴＡＥＤ）、グルコースペンタアセテート（ＰＡＧ）、アルカノイルオキシベンゼン型漂白活性化剤等が挙げられるが、アルカノイルオキシベンゼン型漂白活性化剤が特に好ましい。さらに、炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００２９】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００３０】
（ｅ）成分の組成物中の含有量は、０．０５〜５質量％、更に０．２〜３質量％、特に０．４〜１質量％が好ましい。
【００３１】
本発明に係わる液体組成物は、（ａ）成分及び（ｂ）成分以外の界面活性剤〔以下、（ｆ）成分という〕を含有することができ、アニオン界面活性剤、非イオン界面活性剤、陽イオン界面活性剤及び両性界面活性剤から選ぶことができる。本発明に用いられる界面活性剤の例としては、アルキルベンゼンスルホン酸塩、アルキル又はアルケニルエーテル硫酸エステル塩、アルキル又はアルケニル硫酸エステル塩、オレフィンスルホン酸塩、アルカンスルホン酸塩、飽和又は不飽和脂肪酸塩、アルキル又はアルケニルエーテルカルボン酸塩、α−スルホ脂肪酸塩、又はα−スルホ脂肪酸エステルなどのアニオン界面活性剤、ポリオキシエチレンアルキルフェニルエーテル、高級脂肪酸アルカノールアミドまたはそのアルキレンオキシド付加物、ショ糖脂肪酸エステルなどの非イオン界面活性剤、アミンオキシド、スルホベタイン、カルボベタインなどの両性界面活性剤、あるいは第４級アンモニウム塩などの陽イオン界面活性剤を挙げることができる。
【００３２】
これらのうち、特にアルキル（炭素数１０〜２０）ベンゼンスルホン酸塩、アルキルまたはアルケニル（炭素数１０〜２０）硫酸エステル塩、アルキルまたはアルケニル（炭素数１０〜２０）エーテル硫酸エステル塩、炭素数８〜２０のアルキルを少なくとも１つ有する第４級アンモニウム塩が好ましく、中でも下記一般式（４）の第４級アンモニウム塩が特に好ましい。
【００３３】
【化１】
2005170995.tif 000002
【００３４】
〔式中、Ｒ5〜Ｒ8は、少なくとも１つが炭素数８〜１８のアルキル基又はアルケニル基であり、残りが炭素数１〜３のアルキル基もしくはヒドロキシアルキル基を示す。また、Ｒ9は炭素数１〜１２のアルキル基もしくは炭素数１〜１２のアルキル基で置換していてもよいアリール基を示す。Ｙは−ＣＯＯ、−ＳＯ3、−ＯＳＯ3から選ばれる。〕
【００３５】
本発明では、これらの界面活性剤を組成物中０〜５０質量％、好ましくは０．５〜３０質量％配合することが良好である。
【００３６】
本発明に係わる組成物は、漂白効果を高める目的から分散剤〔以下、（ｇ）成分という〕を含有することが好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸のコポリマーもしくはその塩から選ばれるカルボン酸系ポリマー、及び重量平均分子量４千〜２万、好ましくは５千〜１万のポリエチレングリコールから選ばれる非イオン性ポリマーが好ましい。
【００３７】
本発明に係わる組成物は、（ｇ）成分を組成物中０〜１４質量％、好ましくは０．１〜８質量％含有することが好適である。
【００３８】
本発明に係わる組成物は、漂白効果を高める目的で溶剤〔以下、（ｈ）成分という〕を含有することができるが、粘度を低下させることが考えられるため、化合物の種類と配合量は制限される。（ｈ）成分としては（ｉ）炭素数１〜５の１価アルコール、（ii）炭素数２〜１２の多価アルコール、（iii）下記の一般式（５）で表される化合物、（iv）下記の一般式（６）で表される化合物、（ｖ）下記の一般式（７）で表される化合物が好適である。
【００３９】
【化２】
2005170995.tif 000003
【００４０】
〔式中、Ｒ10及びＲ11は、それぞれ水素原子、炭素数１〜６のアルキル基、フェニル基又はベンジル基を示すが、Ｒ10及びＲ11の双方が水素原子となる場合を除く。ｃは０〜１０の数を、ｄは０〜１０の数を示すが、ｃ及びｄの双方が０である場合を除く。Ｒ12及びＲ13は炭素数１〜３のアルキル基を示す。Ｒ14は炭素数１〜８のアルキル基を示す。〕
【００４１】
（ｉ）の炭素数１〜５の１価アルコールとしては、一般的にエタノール、プロピルアルコール、イソプロピルアルコールが挙げられる。これらの低級アルコールを配合することにより低温における系の安定性を更に向上させることができる。
【００４２】
（ii）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００４３】
（iii）の化合物は、一般式（５）において、Ｒ10、Ｒ11がアルキル基である場合の炭素数は１〜４が特に好ましい。また、一般式（５）中、エチレンオキシド及びプロピレンオキシドの平均付加モル数のｃ及びｄは、それぞれ０〜１０の数である（ｃ及びｄの双方が０である場合を除く）が、これらの付加順序は特に限定されず、ランダム付加したものであってもよい。（５）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールモノフェニルエーテルが好ましい。
【００４４】
また、（iv）の化合物としては、１，３−ジメチル−２−イミダゾリジノン、１，３−ジエチル−２−イミダゾリジノンが好適なものとして例示され、（ｖ）の化合物としてはアルキルグリセリルエーテル化合物であり、好ましくはＲ13が炭素数３〜８のアルキル基の化合物である。
【００４５】
これらのなかでも優れた洗浄力を得るためには（ｉ）、（ii）、（iii）、（ｖ）の水溶性溶剤が好ましく、特にエタノール、プロパノール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル、ポリオキシエチレン（ｐ＝１〜４）グリコールモノフェニルエーテルから溶剤が効果的である。
【００４６】
本発明に係わる組成物は、（ｈ）成分を組成物中好ましくは０〜３質量％、より好ましくは０〜２質量％含有する。
【００４７】
さらに本発明に係わる組成物は、漂白効果を向上させる目的から金属イオン封鎖剤〔以下、（ｊ）成分という〕を含有することが好ましい。本発明に用いられる（ｊ）成分としては、（１）フィチン酸等のリン酸系化合物又はこれらのアルカリ金属塩もしくはアルカノールアミン塩、（２）エタン−1,1−ジホスホン酸、エタン−1,1,2−トリホスホン酸、エタン−1−ヒドロキシ−1,1−ジホスホン酸およびその誘導体、エタンヒドロキシ−1,1,2−トリホスホン酸、エタン−1,2−ジカルボキシ−1,2−ジホスホン酸、メタンヒドロキシホスホン酸等のホスホン酸又はこれらのアルカリ金属塩もしくはアルカノールアミン塩、（３）２−ホスホノブタン−1,2−ジカルボン酸、１−ホスホノブタン−2,3,4−トリカルボン酸、α−メチルホスホノコハク酸等のホスホノカルボン酸又はこれらのアルカリ金属塩もしくはアルカノールアミン塩、（４）アスパラギン酸、グルタミン酸、グリシン等のアミノ酸又はこれらのアルカリ金属塩もしくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（７）ゼオライトＡに代表されるアルミノケイ酸のアルカリ金属塩又はアルカノールアミン塩、（８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００４８】
これらの中で上記（２）、（５）、（６）および（７）からなる群より選ばれる少なくとも１種が好ましく、上記（２）からなる群より選ばれる少なくとも１種がさらに好ましい。
【００４９】
本発明の組成物は、（ｊ）成分を組成物中好ましくは０．００５〜５質量％、さらに好ましくは０．０１〜２質量％含有する。
【００５０】
その他、本発明に係わる組成物には、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等や、漂白性能を向上させるために酵素（セルラーゼ、アミラーゼ、プロテアーゼ、リパーゼ）を配合することができる。また染料や顔料のような着色剤、香料、シリコーン類、殺菌剤、紫外線吸収剤等の種々の微量添加物を適量配合してもよい。
【００５１】
本発明の組成物は、衣料等の繊維製品用の洗浄剤組成物や漂白洗浄剤組成物として好適であり、液体漂白洗浄剤組成物とする場合の好ましい組成を以下に示す。
（ａ）成分０．５〜１０質量％、更に１．５〜５質量％
（ｂ）成分１〜３０質量％、更に４〜１５質量％
（ｃ）成分７０〜９８質量％、更に８０〜９５質量％
（ｄ）成分１〜６質量％、更に１．５〜５質量％
（ｅ）成分０．０５〜５質量％、更に０．４〜１質量％
【実施例】
【００５２】
下記配合成分を用いて、表１及び表２に示す液体洗浄剤組成物を調製し、粘度の測定及び高温での液の外観の評価を行った。結果を表１、２に示す。
【００５３】
（１）配合成分
ａ−１；アルキルポリグルコシド（アルキル基の炭素数１２、グルコースの平均縮合度が１．３［縮合度が１〜３のものの混合物］）
ａ−２；アルキルポリグルコシド（アルキル基の炭素数１４、グルコースの平均縮合度が１．２［縮合度が１〜３のものの混合物］）
ａ−３；アルキルポリグルコシド（アルキル基の炭素数１８、グルコースの平均縮合度が１．３［縮合度が１〜３のものの混合物］）
ｂ−１；ポリオキシエチレンアルキルエーテル（アルキル基の炭素数１２、オキシエチレン平均付加モル数５、ＨＬＢ１０．８）
ｂ−２；ポリオキシエチレンアルキルエーテル（アルキル基の炭素数１２、オキシエチレン平均付加モル数７、ＨＬＢ１２．４）
ｂ−３；ポリオキシエチレンアルキルエーテル（アルキル基の炭素数１４、オキシエチレン平均付加モル数８、ＨＬＢ１２．４）
ｂ−４；ポリオキシエチレンアルキルエーテル（アルキル基の炭素数１３、オキシエチレン平均付加モル数１２、ＨＬＢ１４．５）
ｃ−１；イオン交換水
ｄ−１；過酸化水素
ｅ−１；ラウロイルオキシ−ｐ−ベンゼンスルホン酸ナトリウム
ｅ−２；デカノイルオキシ−ｐ−ベンゼンカルボン酸
ｅ−３；ノナノイルオキシ−ｐ−ベンゼンスルホン酸ナトリウム
ｆ−１；Ｎ−ドデシル−Ｎ，Ｎ，Ｎ−トリメチルアンモニウムメチル硫酸エステル塩
ｆ−２；Ｃ12Ｈ25−Ｎ+−(ＣＨ3)2ＣＨ2ＣＨ2ＣＨ2ＳＯ3-
ｇ−１；ポリアクリル酸ナトリウム（重量平均分子量１万）
ｈ−１；ジエチレングリコールモノブチルエーテル
ｊ−１；１−ヒドロキシエチリデン−１、１−ジホスホン酸、ディクエスト２０１０（キレスト社製ディクエスト）
【００５４】
（２）粘度の測定
表１、２に示す組成物の２０℃における粘度を（株）東京計器製Ｂ型粘度計（型式ＢＭ）を用いて前記の通り測定した。
【００５５】
（３）高温貯蔵安定性評価
表１、２に示す組成物を広口規格ビンＮｏ．１３Ｋに１５０ｍｌ入れ、ふたをして密閉後、４０℃（高温）の恒温室に１週間貯蔵した。その後、下記に示す基準で外観を評価した。
○；透明均一な液体である
△；２相に分離（もしくは白濁）している
×；沈殿している
【００５６】
【表１】
2005170995.tif 000004
【００５７】
【表２】
2005170995.tif 000005